(57)【要約】【課題】表示画面中に子画面を表示した場合でもユーザにより望ましい構図で被写体を撮影させることを可能にする。【解決手段】撮像範囲中の被写体の光学象からスルー画データを生成する撮像部（１０２、１０５、１１０、１３１等）、撮像部の合焦位置ＡＦ１を自動調整するオートフォーカス部（１０１、１０４、１０３、１１０等）、スルー画データ中の合焦位置ＡＦ１を含む領域Ｒ１を特定する合焦領域特定部（１１０等）、領域Ｒ１に対応するスルー画データ中の子画面データを拡大する画像拡大部（１２０等）、子画面１２の配置を合焦領域ＡＦ１に重ならないように設定する合成領域設定部（１２０等）、子画面１２に子画面データを合成する画像合成部（１２０等）、および子画面データが合成されたスルー画データを出力する画像出力部（１３０、１３２、１４１／１４２等）と、を備えた。【選択図】        図１
2010226496.tif 000002
【特許請求の範囲】
【請求項１】
撮像範囲中の被写体の光学象から第１画像データを生成する撮像部と、
前記撮像部の合焦位置を前記被写体に自動調整するオートフォーカス部と、
前記第１画像データ中の一部の領域であって前記合焦位置を含む第１領域を前記第１画像データ中から特定する合焦領域特定部と、
前記第１領域に対応する前記第１画像データ中の第２画像データを拡大する画像拡大部と、
前記第１画像データに対して前記拡大された第２画像データを合成する第２領域を前記合焦位置に重ならないように設定する合成領域設定部と、
前記第１画像データにおける前記第２領域に前記拡大された第２画像データを合成する画像合成部と、
前記拡大された第２画像データが合成された前記第１画像データを出力する画像出力部と、
を備えたことを特徴とする撮影装置。
【請求項２】
前記合成領域設定部は、前記第１画像データに複数の第３領域を規定し、該複数の第３領域における前記合焦位置を含まない第３領域内に前記第２領域を設定することを特徴とする請求項１記載の撮影装置。
【請求項３】
前記複数の第３領域は、前記第１画像データを４分割する４つの４半象限であることを特徴とする請求項２記載の撮影装置。
【請求項４】
前記合成領域設定部は、前記合焦位置が含まれる前記第３領域と対極に位置する第３領域内に前記第２領域を設定することを特徴とする請求項２または３記載の撮影装置。
【請求項５】
前記複数の第３領域それぞれにおける前記被写体が占める割合を算出する被写体領域算出部を備え、
前記合成領域設定部は、前記被写体が占める割合が最も低い第３領域内に前記第２領域を設定することを特徴とする請求項２または３記載の撮影装置。
【請求項６】
前記複数の第３領域それぞれにおけるコントラスト情報を取得するコントラスト情報取得部を備え、
前記合成領域設定部は、前記コントラスト情報に基づいて前記第２領域を設定することを特徴とする請求項２〜５のいずれか一つに記載の撮影装置。
【請求項７】
前記第１画像データ中における前記被写体の領域を特定する被写体領域特定部を備え、
前記合成領域設定部は、前記第１画像データにおける前記被写体の領域以外の領域に前記第２領域を設定することを特徴とする請求項１〜６のいずれか一つに記載の撮影装置。
【請求項８】
前記第１画像データを再生する電子ファインダを備え、
前記画像出力部は、前記電子ファインダへ前記拡大された第２画像データが合成された前記第１画像データを出力することを特徴とする請求項１〜７のいずれか一つに記載の撮影装置。
【請求項９】
外部の表示装置を接続可能な外部端子を備え、
前記画像出力部は、前記外部端子に接続された前記表示装置へ前記拡大された第２画像データが合成された前記第１画像データを出力することを特徴とする請求項１〜７のいずれか一つに記載の撮影装置。
【請求項１０】
前記第１画像データを再生する電子ファインダと、
前記外部端子に接続された前記表示装置の解像度を特定する外部表示能力特定部と、
を備え、
前記合成領域設定部は、前記表示装置の解像度が前記電子ファインダの解像度よりも高い場合、前記電子ファインダへ前記第１画像データを再生する際の前記第２領域のサイズよりも前記表示装置へ前記第１画像データを再生する際の前記第２領域のサイズを小さくすることを特徴とする請求項９記載の撮影装置。
【請求項１１】
撮像範囲中の被写体の光学象から第１画像データを生成する撮像ステップと、
前記撮像部の合焦位置を前記被写体に自動調整する自動合焦ステップと、
前記第１画像データ中の一部の領域であって前記合焦位置を含む第１領域を前記第１画像データ中から特定する合焦領域特定ステップと、
前記第１領域に対応する前記第１画像データ中の第２画像データを拡大する画像拡大ステップと、
前記第１画像データにおける前記第２画像データを合成する第２領域を設定する合成領域設定ステップと、
前記第１画像データにおける前記第２領域に前記拡大された第２画像データを合成する画像合成ステップと、
前記拡大された第２画像データが合成された前記第１画像データを出力する画像出力ステップと、
を含むことを特徴とするライブビュー表示方法。
【発明の詳細な説明】
【技術分野】
【０００１】
本発明は、撮影装置およびライブビュー表示方法に関し、特に被写体の画像を略リアルタイムに再生する機能を備えた撮影装置およびライブビュー表示方法に関する。
【背景技術】
【０００２】
近年のデジタルスチルカメラやデジタルビデオカメラ（以下、両者を合わせて単にデジタルカメラという）では、撮影範囲をレンズを介して覗き見る一般的なファインダの代わりに、ＣＣＤ（Ｃｈａｒｇｅ  Ｃｏｕｐｌｅｄ  Ｄｅｖｉｃｅ）アレイなどの撮像素子で取得した電子画像を略リアルタイムに液晶画面等に表示する、いわゆる電子ファインダが採用されている。また、近年のデジタルカメラでは、撮像対象の被写体に自動的に焦点を合わせる、いわゆるオートフォーカス（ＡＦ）機能が搭載されている。
【０００３】
従来の電子ファインダを備え且つＡＦ機能を搭載するデジタルカメラには、合焦対象物をユーザに確認させるために、電子ファインダの表示画面における所定の領域（主に画面中央部）に合焦対象物が含まれた領域を拡大表示するものが存在する（例えば以下に示す特許文献１参照）。なお、以下の説明では、合焦対象物が含まれた領域の拡大表示部分を子画面という。
【０００４】
【特許文献１】特許第３９７００４６号公報
【発明の開示】
【発明が解決しようとする課題】
【０００５】
しかしながら、子画面の配置が電子ファインダの表示画面中で固定されていると、画角中での被写体の配置や子画面によって隠れてしまった部分をユーザに確認させることができず、ユーザにとってより望ましい構図で被写体を撮影することが困難になるという問題を発生させる場合がある。
【０００６】
また、デジタルカメラに接続された外部画像表示装置に略リアルタイムに画像を表示しつつ撮影する場合でも、子画面の配置が表示画面中で固定されていると、上記と同様に、ユーザにとってより望ましい構図で被写体を撮影することが困難になるという問題を発生させる場合がある。
【０００７】
そこで本発明は、上記の問題に鑑みてなされたものであり、表示画面中に子画面を表示した場合でもユーザにより望ましい構図で被写体を撮影させることを可能にする撮影装置およびライブビュー表示方法を提供することを目的とする。
【課題を解決するための手段】
【０００８】
かかる目的を達成するために、本発明による撮影装置は、撮像範囲中の被写体の光学象から第１画像データを生成する撮像部と、前記撮像部の合焦位置を前記被写体に自動調整するオートフォーカス部と、前記第１画像データ中の一部の領域であって前記合焦位置を含む第１領域を前記第１画像データ中から特定する合焦領域特定部と、前記第１領域に対応する前記第１画像データ中の第２画像データを拡大する画像拡大部と、前記第１画像データに対して前記拡大された第２画像データを合成する第２領域を前記合焦位置に重ならないように設定する合成領域設定部と、前記第１画像データにおける前記第２領域に前記拡大された第２画像データを合成する画像合成部と、前記拡大された第２画像データが合成された前記第１画像データを出力する画像出力部と、を備えたことを特徴としている。
【０００９】
上記した本発明による撮影装置は、前記合成領域設定部が、前記第１画像データに複数の第３領域を規定し、該複数の第３領域における前記合焦位置を含まない第３領域内に前記第２領域を設定することを特徴としている。
【００１０】
上記した本発明による撮影装置は、前記複数の第３領域が、前記第１画像データを４分割する４つの４半象限であることを特徴としている。
【００１１】
上記した本発明による撮影装置は、前記合成領域設定部が、前記合焦位置が含まれる前記第３領域と対極に位置する第３領域内に前記第２領域を設定することを特徴としている。
【００１２】
上記した本発明による撮影装置は、前記複数の第３領域それぞれにおける前記被写体が占める割合を算出する被写体領域算出部を備え、前記合成領域設定部が、前記被写体が占める割合が最も低い第３領域内に前記第２領域を設定することを特徴としている。
【００１３】
上記した本発明による撮影装置は、前記複数の第３領域それぞれにおけるコントラスト情報を取得するコントラスト情報取得部を備え、前記合成領域設定部が、前記コントラスト情報に基づいて前記第２領域を設定することを特徴としている。
【００１４】
上記した本発明による撮影装置は、前記第１画像データ中における前記被写体の領域を特定する被写体領域特定部を備え、前記合成領域設定部が、前記第１画像データにおける前記被写体の領域以外の領域に前記第２領域を設定することを特徴としている。
【００１５】
上記した本発明による撮影装置は、前記第１画像データを再生する電子ファインダを備え、前記画像出力部が、前記電子ファインダへ前記拡大された第２画像データが合成された前記第１画像データを出力することを特徴としている。
【００１６】
上記した本発明による撮影装置は、外部の表示装置を接続可能な外部端子を備え、前記画像出力部が、前記外部端子に接続された前記表示装置へ前記拡大された第２画像データが合成された前記第１画像データを出力することを特徴としている。
【００１７】
上記した本発明による撮影装置は、前記第１画像データを再生する電子ファインダと、前記外部端子に接続された前記表示装置の解像度を特定する外部表示能力特定部と、を備え、前記合成領域設定部が、前記表示装置の解像度が前記電子ファインダの解像度よりも高い場合、前記電子ファインダへ前記第１画像データを再生する際の前記第２領域のサイズよりも前記表示装置へ前記第１画像データを再生する際の前記第２領域のサイズを小さくすることを特徴としている。
【００１８】
また、本発明によるライブビュー表示方法は、撮像範囲中の被写体の光学象から第１画像データを生成する撮像ステップと、前記撮像部の合焦位置を前記被写体に自動調整する自動合焦ステップと、前記第１画像データ中の一部の領域であって前記合焦位置を含む第１領域を前記第１画像データ中から特定する合焦領域特定ステップと、前記第１領域に対応する前記第１画像データ中の第２画像データを拡大する画像拡大ステップと、前記第１画像データにおける前記第２画像データを合成する第２領域を設定する合成領域設定ステップと、前記第１画像データにおける前記第２領域に前記拡大された第２画像データを合成する画像合成ステップと、前記拡大された第２画像データが合成された前記第１画像データを出力する画像出力ステップと、を含むことを特徴としている。
【発明の効果】
【００１９】
本発明によれば、オートフォーカスによる合焦位置を含む第１領域を拡大して表示する第２領域を合焦位置に重ならないように設定するため、表示画面中に子画面を表示した場合でもユーザにより望ましい構図で被写体を撮影させることを可能にする撮影装置およびライブビュー表示方法を実現することが可能となる。
【発明を実施するための最良の形態】
【００２０】
以下、本発明を実施するための最良の形態を図面と共に詳細に説明する。なお、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。
【００２１】
＜実施の形態１＞
以下、本発明の実施の形態１による撮影装置について、図面を用いて詳細に説明する。本実施の形態では、その撮影装置として、いわゆるデジタルスチルカメラやデジタルビデオカメラを例に挙げるが、本発明はこの例に限定されるものではなく、例えばカメラ付き携帯電話機やカメラ付きモバイルＰＣ（パーソナルコンピュータ）など、電子ファインダまたはそれと同等の機能を備えた各種電子機器に本実施の形態１を適用することが可能である。
【００２２】
本実施の形態で例示する撮影装置１は、後述するように、例えば、撮像範囲中の被写体の光学象から第１画像データ（後述するスルー画データに相当）を生成する撮像部と、撮像部の合焦位置を被写体に自動調整するオートフォーカス部と、第１画像データ中の一部の領域であって合焦位置を含む第１領域を第１画像データ中から特定する合焦領域特定部と、第１領域の第２画像データを拡大する画像拡大部と、第１画像データに対して拡大された第２画像データを合成する第２領域を合焦領域に重ならないように設定する合成領域設定部と、画像出力部が出力する第１画像データにおける第２領域に拡大された第２画像データを合成する画像合成部と、拡大された第２画像データが合成された第１画像データを出力する画像出力部と、を備える。画像出力部から出力された第１画像データは、例えば撮影装置１に搭載された電子ファインダにおいて再生される。
【００２３】
また、撮影装置１は、外部装置との間で無線または有線によるデータ通信を行う通信部を備える。通信部から送信された画像データは、外部装置によって受信される。外部装置としては、例えば、パーソナルコンピュータやＰＤＡ（Ｐｅｒｓｏｎａｌ  Ｄｉｇｉｔａｌ  Ａｓｓｉｓｔａｎｔｓ）等の表示機能を備えた各種情報処理装置、プリンタやデジタル複合機等の印刷エンジンを備えた画像処理装置、および、フラッシュメモリ（登録商標）や外付けＨＤ（ハードディスク）等の各種ストレージを適用することが可能である。
【００２４】
ここで、本実施の形態１による撮影装置１の概略内部構成例を、図面を用いて詳細に説明する。図１は、撮影装置１の概略内部構成例を示すブロック図である。図２は、撮影装置１の電子ファインダにおけるＴＦＴ液晶パネル１４４に表示される子画面１２が重畳されたライブビュー画像を示す図である。図３は、ファーストレリーズ１５１（図１参照）が例えばシャッタボタンの半押しを検出した際に撮影装置１がカメラ撮像動作中に実行する動作（以下、ピクチャ・イン・ピクチャ動作という）の概略を示すフローチャートである。
【００２５】
図１に示すように、撮影装置１は、１つ以上のレンズ１０１よりなる光学系（以下、説明の都合上、光学系をレンズ１０１とする）、撮像素子１０２、アクチュエータ駆動回路１０３、アクチュエータ１０４、撮像回路１０５、フラッシュ１０６、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０７と、手ブレ補正用ジャイロセンサ１０８と、ＣＰＵ（Ｃｅｎｔｒａｌ  Ｐｒｏｃｅｓｓｉｎｇ  Ｕｎｉｔ）１１０および１２０、Ａ／Ｄ変換回路１３１、ＦＩＦＯメモリ１３２、フレームメモリ（ＳＤＲＡＭ）１３３、記録バッファ１３４、記録媒体インタフェース（Ｉ／Ｆ）１３５、記録媒体１３６、ＴＦＴ液晶駆動回路１４１、ビデオ出力回路１４２、バックライトユニット１４３、ＴＦＴ液晶パネル１４４、キーマトリクス１５０、ＬＣＤ（Ｌｉｑｕｉｄ  Ｃｒｙｓｔａｌ  Ｄｉｓｐｌａｙ）表示回路１６１、ＬＣＤパネル１６２、電池１７１、バックアップ電源１７２、電源回路１７３、ならびに、電池状態検出回路１７４を備える。
【００２６】
上記構成において、撮像素子１０２、撮像回路１０５、ＣＰＵ１１０およびＡ／Ｄ変換回路１３１を含む構成は、撮像範囲中の被写体の光学象から第１画像データを生成する撮像部として機能する。レンズ１０１とアクチュエータ１０４とアクチュエータ駆動回路１０３とＣＰＵ１１０とを含む構成は、撮像部の合焦位置を被写体に自動調整するオートフォーカス部として機能する。ＣＰＵ１１０（特に後述するＡＦ合焦位置検出機能１１４）を含む構成は、第１画像データ中の一部の領域であって合焦位置を含む第１領域を第１画像データ中から特定する合焦領域特定部として機能する。ＣＰＵ１２０（特に指定領域拡大機能１２３）を含む構成は、第１領域の第２画像データを拡大する画像拡大部として機能する。ＣＰＵ１２０（特にＰｉｎＰ領域変更機能１２６）を含む構成は、第１画像データに対して拡大された第２画像データを合成する第２領域を合焦領域に重ならないように設定する合成領域設定部として機能する。ＣＰＵ１２０（特にＰｉｎＰ機能１２４）を含む構成は、画像出力部が出力する第１画像データにおける第２領域に拡大された第２画像データを合成する画像合成部として機能する。内部バス１３０およびＦＩＦＯメモリならびにＴＦＴ液晶駆動回路１４１またはビデオ出力回路１４２を含む構成は、拡大された第２画像データが合成された第１画像データを出力する画像出力部として機能する。ＣＰＵ１１０、ＦＩＦＯメモリ１３２、フレームメモリ１３３、ＴＦＴ液晶駆動回路１４１、バックライトユニット１４３およびＴＦＴ液晶パネル１４４を含む構成は、画像出力部から出力された拡大された第２領域が合成された第１画像データを再生する電子ファインダとして機能する。
【００２７】
具体的には、レンズ１０１は、撮像素子１０２の受光面に光学的な被写体像を結像する。撮像素子１０２は、レンズ１０１によって受光面に結像される光学的な被写体像を電気信号に変換する光電変換処理を行うことで、電気的な信号を生成する。この撮像素子１０２には、高速読み出しが可能な固体撮像素子、例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、またはその他の各種撮像素子を適用することができる。
【００２８】
撮像回路１０５は、撮像素子１０２の各光電変換素子に蓄積された電荷に応じた電気信号を画像信号として読み出し、この画像信号に垂直同期信号および水平同期信号等を組み合わせる。なお、読み出し直後の画像信号は、アナログ信号である。撮像回路１０５は、読み出した画像信号に対して各種アナログ信号処理を実行し、処理後の画像信号をＡ／Ｄ変換回路１３１に入力する。Ａ／Ｄ変換回路１３１は、撮像回路１０５から出力されたアナログの画像信号に対してＡ／Ｄ変換処理を実行する。これにより、アナログの画像信号がデジタルの画像データに変換される。
【００２９】
Ａ／Ｄ変換回路１３１から出力された画像データは、ＣＰＵ１２０、フレームメモリ１３３、ＦＩＦＯ（Ｆｉｒｓｔ−Ｉｎ  Ｆｉｒｓｔ−Ｏｕｔ）メモリ１３２または記録バッファ１３４に適宜入力される。Ａ／Ｄ変換回路１３１、ＣＰＵ１２０、フレームメモリ１３３、ＦＩＦＯメモリ１３２および記録バッファ１３４は、例えば内部バス１３０を介して相互に接続されている。
【００３０】
フレームメモリ１３３は、ＣＰＵ１２０によってデジタル信号処理された画像データ（この画像データに関する各種データ等を含んでもよい）をフレームごとに一時的に記憶する。このフレームメモリ１３３には、例えばＳＤＲＡＭ（Ｓｙｎｃｈｒｏｎｏｕｓ  ＤＲＡＭ）等の半導体記憶素子等を適用することができる。
【００３１】
ＣＰＵ１２０は、主に、画像データや各種データを取り扱う信号処理制御を実行する複数の集積回路により構成され、Ａ／Ｄ変換回路１３１から入力されたデジタルの画像データに対して各種デジタル信号処理を実行する。即ち、ＣＰＵ１２０は、フレームメモリ１３３に一時的に記憶されている画像データに対し、各種信号処理を施す１つ以上の機能を実現する。この機能には、例えば、被写体解析機能１２１、指定領域拡大機能１２３、ピクチャ・イン・ピクチャ（ＰｉｎＰ）機能１２４、ピクチャ・イン・ピクチャ領域変更機能１２６、画像圧縮伸長機能１２２および記録媒体アクセス機能１２５等が存在する。
【００３２】
被写体解析機能１２１は、内部バス１３０を介して入力された画像データを解析することで、この画像データに含まれる被写体を特定する。指定領域拡大機能１２３は、被写体解析機能１２１によって特定された被写体の画像データ中での領域を特定し、この領域を拡大して子画面用の画像データを生成する。ＰｉｎＰ機能１２４は、指定領域拡大機能１２３によって生成された子画面用の画像データを内部バス１３０から入力された画像データに重畳することで、子画面が含まれた画像データを生成する。ＰｉｎＰ領域変更機能１２６は、例えば被写体解析機能１２１による画像データの解析の結果等に基づいて、子画面用の画像データの表示位置および／または表示範囲を変更する。画像圧縮伸長機能１２２は、フレームメモリ１３３に記憶されている画像データ等を読み出して、例えばＪＰＥＧ圧縮処理等を行ったり記録媒体１３６から読み出された圧縮画像データの伸張処理を行ったりなどの各種処理を実行する。記録媒体アクセス機能１２５は、記録媒体インタフェース１３５による記録媒体１３６へのアクセスを制御する。なお、以下の説明では、データ保存用の画像データと区別するためにライブビュー表示用の画像データをスルー画データ（第１画像データ）といい、スルー画データと子画面用の画像データとを区別するために子画面用の画像データを子画面データ（第２画像データ）という。
【００３３】
ＦＩＦＯメモリ１３２は、表示対象とするフレームの画像信号を各種表示装置へ出力する際にこの画像信号を一時的にバッファする、いわゆるビデオメモリとして機能する。
【００３４】
なお、撮影装置１においては、上述のレンズ１０１、撮像素子１０２、撮像回路１０５、Ａ／Ｄ変換回路１３１、ＣＰＵ１２０およびフレームメモリ１３３を含む構成が、光学レンズ等からなる撮像光学系が撮像素子の受光面に結像した光学像を電気的な信号に変換して画像信号を生成する撮影手段を実現する。また、撮影装置１は、画像信号以外の情報、例えば音声信号等を取得するマイクロフォン等よりなる集音機能等を備えていてもよい。
【００３５】
ＴＦＴ液晶駆動回路１４１は、ＦＩＦＯメモリ１３２から例えば１ラインごとに出力される画像信号に基づいてＴＦＴ液晶パネル１４４を駆動する。ＴＦＴ液晶パネル１４４は、ＴＦＴ液晶駆動回路１４１によって駆動されることで、表示対象の画像や各種情報等を表示する。このＴＦＴ液晶パネル１４４には、カラー表示可能なパネルが用いられる。また、バックライトユニット１４３は、ＴＦＴ液晶パネル１４４の背面側に設けられ、ＴＦＴ液晶パネル１４４を背面側から照明する。
【００３６】
ビデオ出力回路１４２は、ＦＩＦＯメモリ１３２からの画像信号を例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）形式のビデオ信号に変換する。また、ビデオ出力回路１４２は、変換したビデオ信号をビデオ出力端子１４５に接続された外部装置（例えば外部画像表示装置２０１等）へ出力する。なお、ビデオ出力端子１４５は、ビデオ信号の伝送媒体であるビデオケーブル等の信号線が接続される接続端子であり、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの、外部接続機器の撮影装置１における認識を可能にする規格に適合した端子である。
【００３７】
また、本実施の形態１では、上述のＦＩＦＯメモリ１３２、ＴＦＴ液晶駆動回路１４１、ＴＦＴ液晶パネル１４４およびバックライトユニット１４３を含む構成が、撮像手段が生成した画像データを再生することで被写体の静止画または動画をユーザへ表示する表示手段を実現する。
【００３８】
記録バッファ１３４は、フレームメモリ１３３に一時的に保持されている画像信号等を記録媒体１３６に画像データとして記録するときや、記録媒体１３６から画像データを読み出してフレームメモリ１３３に一時的に保持させるとき等に用いられるバッファ（一時保存領域）である。
【００３９】
記憶媒体インタフェース（Ｉ／Ｆ）１３５は、記録媒体１３６への画像データ等の記憶処理や、記録媒体１３６からの画像データ等の読み出し処理等を制御するための回路である。
【００４０】
記録媒体１３６は、画像データやその他の各種データを記録するストレージである。この記録媒体１３６には、例えば薄板形状またはカード形状からなるメモリカード等の不揮発性の記憶媒体を用いることができる。なお、記録媒体１３６としては、撮影装置１等の機器に対して着脱自在のものや、撮影装置１等の機器内部の電気回路に固設されるもの等、如何なるものを適用してもよい。
【００４１】
また、上述の記録バッファ１３４、記憶媒体インタフェース１３５、記録媒体１３６を含む構成が、画像信号（画像データを含む）などの各種情報を記憶する記憶手段を実現する。
【００４２】
ＣＰＵ１１０は、主（メイン）ＣＰＵとして配設される。このＣＰＵ１１０は、撮影装置１内部の各回路を統括的に制御すると共に、各種機能を実現するために各構成部を制御する、いわゆるメイン制御手段として機能する。そこでＣＰＵ１１０は、撮影装置１内部の各構成部を適宜制御（コントロール）することでシステム全体を制御するシステムコントロール部１１０Ａを備えている。
【００４３】
システムコントロール部１１０Ａは、撮影装置１の動作を制御する各種機能を実現する。この機能としては、例えば、撮像範囲中の被写体を自動的に認識してこれに焦点を合わせるオートフォーカス（ＡＦ）合焦位置検出機能１１４、ビデオ出力端子１４５に接続された外部画像表示装置２０１を認識する外部接続機器認識機能１１２、ビデオ出力端子１４５に接続された外部画像表示装置２０１の表示画面に表示する子画面の大きさを変更する拡大領域変更機能１１１、および、撮影装置１内部で時間を管理する時計機能１１３など存在する。また、この他にも、主電源である電池１７１の残量をＬＣＤパネル１６２等に表示する機能や、撮影手段にて撮影動作を実行する際の各種の撮影条件を設定する機能や、撮影動作により取得した画像信号と画像信号に関連する各種情報（関連情報データ）とを合わせて画像データを含む画像ファイルを生成する機能や、録音機能により取得される音声信号を音声ファイルとして管理する機能や、記録媒体に記録済みの各種データファイルに基いてアルバム機能や印刷機能を実行したり登録設定を行って各種登録設定データ等を生成しこれを記録媒体に記憶したりする機能や、生成された画像ファイルや音声ファイルや登録設定データ等を適切な形態で記録媒体１３６に記録する制御を行う機能や、画像ファイルに基づく画像や関連情報を表示手段に視覚的に表示させる機能や、音声ファイルに基づく音声をスピーカ等（図示せず）に出力させる機能など、撮影装置１における各種動作及び各種機能を制御するためのさまざまな機能がシステムコントロール部１１０Ａにおいて実現される。
【００４４】
なお、撮影装置１は、無線通信機能を備えた外部装置（図示せず）との間で無線による画像ファイル等のデータ信号の送受信を行うための無線通信機能を備えていてもよい。この無線通信機能を実現する方式には、例えば、ワイヤレスＵＳＢ（ＷＵＳＢ）方式や、超広帯域（ＵＷＢ）無線接続方式や、ＩｒＤＡ（Ｉｎｆｒａｒｅｄ  Ｄａｔａ  Ａｓｓｏｃｉａｔｉｏｎ）方式による光無線接続等が存在する。
【００４５】
アクチュエータ１０４は、レンズ１０１を駆動することで、自動焦点調節（オートフォーカス（ＡＦ））動作やズーミング動作等を行うための駆動源である。アクチュエータ駆動回路１０３は、ＣＰＵ１１０の制御に基づいてアクチュエータ１０４を駆動する回路である。
【００４６】
すなわち、アクチュエータ１０４及びアクチュエータ駆動回路１０３を含む構成は、レンズ１０１をその光軸に沿って移動させることで被写体像のオートフォーカス動作や変倍動作等を行うレンズ駆動手段として機能する。
【００４７】
また、ＥＥＰＲＯＭ１０７は、ＣＰＵ１１０、ＣＰＵ１２０により実行される処理プログラム（アプリケーションソフトウエア）等や、外部装置と通信するための通信設定情報等のデータ等、撮影装置１における各種の設定データや固有データ等を記憶し保持するための不揮発性記憶媒体であって、通信設定メモリとして機能する。このＥＥＰＲＯＭ１０７には、例えば電気的に消去可能な不揮発性メモリである公知のフラッシュロム（Ｆｌａｓｈ  ＲＯＭ）等を適用することができる。
【００４８】
また、フラッシュ１０６は、撮影時に被写体を照明する光を放射する光源であり、例えばキセノンランプやＬＥＤ（Ｌｉｇｈｔ  Ｅｍｉｔｔｉｎｇ  Ｄｉｏｄｅ）等で構成される。手ブレ補正用ジャイロセンサ１０８は、撮影装置１に生じているヨー方向およびピッチ方向の角速度を検出し、検出した角速度に基づき撮影装置１のブレを検出する。
【００４９】
キーマトリクス１５０は、ファーストレリーズ１５１やセカンドレリーズ１５２等、撮影装置１の各種操作スイッチや操作ボタン等を含む。なお、ファーストレリーズ１５１とは例えばユーザによるシャッタボタン（不図示）の半押しを検出するキーであり、セカンドレリーズ１５２とは例えばユーザによるシャッタボタンの全押しを検出するキーである。例えばファーストレリーズ１５１によってシャッタボタンの半押しが検出された場合、ＣＰＵ１１０によってオートフォーカス動作が実行される。一方、例えばセカンドレリーズ１５２によってシャッタボタンの全押しが検出された場合、ＣＰＵ１１０によって撮像動作が実行される。
【００５０】
また、キーマトリクス１５０に含まれるその他の操作部材には、例えば撮影装置１の電源状態をオン又はオフ状態に切り換える電源ボタン、撮影動作時には撮影倍率を変更するズームボタンとして機能し再生動作時には再生画像の拡大表示や縮小表示等の表示切換ボタンとして機能するズームボタン（ＴＷボタン）１５３、メニュー画面を呼び出す等の各種機能に割り当てられる複数の各種操作ボタン、メニュー画面等における選択設定を行う四方向選択キー（十字キーともいう）、各種操作ボタンを用いて選択した項目を決定指示するＯＫボタン等が含まれる。
【００５１】
そして、このキーマトリクス１５０には、上述の各種操作部材と、これら操作部材のそれぞれに連動して所定の指示信号を発生させるスイッチ部材や各スイッチ部材からの指示信号を伝達する電気回路等が含まれる。また、ユーザが操作することでキーマトリクス１５０が発生した各種指示信号は、ＣＰＵ１１０へ入力される。
【００５２】
ＬＣＤ表示回路１６１は、ＣＰＵ１１０からの制御に従ってＬＣＤパネル１６２を駆動することで、ＬＣＤパネル１６２に各種情報を表示させる。ＬＣＤパネル１６２は、例えば小型の液晶表示装置（ＬＣＤ）等によって構成され、ＬＣＤ表示回路１６１による駆動に応じて、撮影装置１において設定済みの撮影条件や、例えば撮影モード等の動作モード情報や記録媒体１３６に記憶可能な画像の枚数情報や撮影時のシャッタ速度や絞り値等の露出に関する情報等の各種設定情報を表示する。
【００５３】
電池１７１は、撮影装置１における主（メイン）電源である。この電池１７１には、例えば乾電池等の一次電池や充電可能な蓄電池等の二次電池などが適用される。バックアップ電源１７２は、撮影装置１の内部メモリや内部時計等に対して常に電力を供給するために設けられた副（サブ）電源である。このバックアップ電源１７２からの電力は、例えば撮影装置１における各種設定値や日時情報等を保持したり日時情報をＬＣＤパネル１６２等に常時表示したりするための電力として用いられる。
【００５４】
電源回路１７３は、ＣＰＵ１１０からの制御に基づいて、電池１７１またはバックアップ電源１７２からの電力を撮影装置１内部の各電気回路へ適宜供給する。電池状態検出回路１７４は、電池１７１からの電源電圧などから電池１７１の残量などの状態を検出し、この検出結果をＣＰＵ１１０へ出力する。
【００５５】
その他、本発明に関連しない部分の構成については、通常一般のデジタルスチルカメラ等の撮影装置と略同様の構成であるものとして、その詳細な図示及び説明は省略する。
【００５６】
次に、本実施の形態１による撮影装置１の電子ファインダにおけるＴＦＴ液晶パネル１４４に表示されるライブビュー画像について、図２を用いて詳細に説明する。図２に示すように、本実施の形態１において電子ファインダのＴＦＴ液晶パネル１４４に表示されるライブビュー画像ＬＶ１には、主画像としてスルー画データを再生したスルー画１１が表示される。また、ライブビュー画像ＬＶ１中の一部の領域には、子画面（第２領域）１２が合成されている。この子画面１２には、オートフォーカス（ＡＦ）動作によって焦点が合った位置（合焦位置ＡＦ１）を略中央に含む領域（第１領域）Ｒ１の拡大画像が表示される。
【００５７】
なお、子画面１２が配置される領域は、スルー画データを分割する複数の領域（第３領域：例えば４半象限Ａ１１〜Ａ１４）のうちのある領域（図２に示す例では４半象限Ａ１４）内とすることができる。ある領域とは、例えば合焦位置が存在する領域と対極にある領域とすることができる。図２に示す例では、合焦位置ＡＦ１が４半象限Ａ１１に存在するため、子画面１２が配置される領域は、４半象限Ａ１４とすることができる。これにより、焦点合わせの対象となる被写体ＯＢ１が隠れてしまうことを極力避けつつ、子画面１２を電子ファインダのＴＦＴ液晶パネル１４４に表示することが可能となる。ただし、子画面１２を対極の領域に表示することに限定されず、例えば合焦位置が存在する領域以外の領域（図２に示す例では、４半象限Ａ１２〜Ａ１４の何れか）に表示するなど、種々変形することが可能である。
【００５８】
次に、図３を参照して、本発明の実施の形態１による撮影装置１の動作を詳細に説明する。ただし、以下の説明では、ファーストレリーズ１５１が例えばシャッタボタンの半押しを検出した際に撮影装置１がカメラ撮像動作中に実行するピクチャ・イン・ピクチャ動作に着目する。なお、ピクチャ・イン・ピクチャ動作とは、電子ファインダの表示画面（ＴＦＴ液晶パネル１４４）に合焦位置を含む領域を拡大した子画面を重畳して表示する動作である。その他の動作は、通常一般のデジタルスチルカメラ等の撮影装置と略同様の動作とすることが可能である。例えば、撮影装置１の起動後の主動作やカメラ撮像動作のメインフローは、通常一般のデジタルスチルカメラ等の撮影装置と略同様である。したがって、以下では、説明の簡略化を目的として、その詳細な図示及び説明は省略する。
【００５９】
ユーザによる撮影装置１のシャッタボタンの半押しをファーストレリーズ１５１が検出すると、撮影装置１は、カメラ撮像動作の流れにおいて図３に示すピクチャ・イン・ピクチャ動作を起動する。
【００６０】
ピクチャ・イン・ピクチャ動作では、図３に示すように、撮影装置１は、まず、ＣＰＵ１２０においてスルー画データ中の被写体を特定する（ステップＳ１０１）。具体的には、ＣＰＵ１１０の制御の下で撮像回路１０５を駆動して撮像素子１０２から電荷蓄積量に応じた電気信号を読み出してアナログの画像信号を生成し、この画像信号をＡ／Ｄ変換回路１３１に入力する。Ａ／Ｄ変換回路１３１は、入力されたアナログの画像信号に対してＡ／Ｄ変換処理を実行することでデジタルの画像データ（スルー画データ）を生成する（撮像ステップ）。Ａ／Ｄ変換されたスルー画データは、内部バス１３０によるバスコントロールによってＣＰＵ１２０に入力される。ＣＰＵ１２０は、被写体解析機能１２１を呼出し、この機能を用いてスルー画データを解析する。この解析では、例えばスルー画データ中の特徴点より被写体の輪郭部分を認識し、これに基づいて被写体のスルー画データ中の領域や形状等を特定する。
【００６１】
次に撮影装置１は、ステップＳ１０１で特定した被写体のうちの何れかに自動的に焦点を合わすオートフォーカス動作を実行する（ステップＳ１０２：自動合焦ステップ）。具体的には、ステップＳ１０１においてＣＰＵ１２０が特定した被写体のうち所定の条件を満たす被写体を特定し、これに対する焦点合わせ（合焦）をＣＰＵ１１０の制御の下で自動的に実行する。なお、所定の条件は、人や動植物の顔や形状、山や川などの特定の形状や色彩、建物や乗物などの形状などと類似または一致するか否かなど、種々変形することができる。また、ＣＰＵ１１０による自動的な焦点合わせは、例えば、ＣＰＵ１１０がアクチュエータ駆動回路１０３を駆動してアクチュエータ１０４を用いてレンズ１０１を移動させることで実行される。
【００６２】
次に撮影装置１は、オートフォーカス動作による焦点が合った位置（合焦位置）を含む領域の電子ファインダ上での拡大表示機能がオンされているか否かを判定する（ステップＳ１０３）。なお、拡大表示機能のオン／オフは、例えば、ユーザによって設定され、この設定がＣＰＵ１１０よりＥＥＰＲＯＭ１０７に保存されている。したがって、拡大表示機能がオンされているか否かの判定は、ＣＰＵ１１０がＥＥＰＲＯＭ１０７を参照することで実行されるように構成することができる。また、ステップＳ１０３の判定の結果、拡大表示機能がオフである場合（ステップＳ１０３のＮｏ）、撮影装置１は、カメラ撮像動作にリターンする。
【００６３】
一方、ステップＳ１０３の判定の結果、拡大表示機能がオンされている場合（ステップＳ１０３のＹｅｓ）、撮影装置１は、ステップＳ１０２のオートフォーカス動作によって焦点が合った位置（例えば図２における合焦位置ＡＦ１参照）を検出し（ステップＳ１０４：合焦領域特定ステップ）、この合焦位置ＡＦ１を略中央とする領域Ｒ１を特定すると共に、この領域Ｒ１を拡大表示する子画面１２の表示位置を設定する（ステップＳ１０５：合成領域設定ステップ）。具体的には、ＣＰＵ１１０が拡大領域変更機能１１１を呼び出す。拡大領域変更機能１１１は、オートフォーカス動作による合焦位置ＡＦ１（図２参照）を特定し、これを略中央に含む領域Ｒ１（図２参照）を特定し、また、スルー画データを分割する複数の領域のうち合焦位置ＡＦ１を含まない領域の何れか（例えば合焦位置ＡＦ１と対極に位置する領域）を特定し、これを子画面１２を表示する領域として設定する。これにより、オートフォーカスによる合焦位置ＡＦ１を含む領域Ｒ１を拡大して表示する子画面１２が、合焦位置ＡＦ１またはこれを含む領域Ｒ１に重ならないように設定される。
【００６４】
次に撮影装置１は、ステップＳ１０５で設定した領域に子画面１２が表示されるように、子画面データを拡大して（画像拡大ステップ）、拡大された子画面データとスルー画データとを合成し（画像合成ステップ）、これを電子ファインダのＴＦＴ液晶パネル１４４に表示（ピクチャ・イン・ピクチャ表示）する（ステップＳ１０６：画像出力ステップ）。具体的には、ＣＰＵ１２０の指定領域拡大機能１２３によって設定された領域Ｒ１の画像データを拡大して子画面データを生成する。次に、ＣＰＵ１１０の拡大領域変更機能１１１によって拡大された子画面データをスルー画データに合成する場所を設定し、次に、ＣＰＵ１２０は、ＰｉｎＰ機能１２４を呼び出し、このＰｉｎＰ機能１２４を用いてライブビュー表示するスルー画データに子画面データを合成する。合成により生成された画像データは、例えばＦＩＦＯメモリ１３２に入力される。ＣＰＵ１１０は、ＴＦＴ液晶駆動回路１４１を駆動することでＦＩＦＯメモリ１３２から１ラインごとに画像データを読み出し、これをＴＦＴ液晶パネル１４４に入力する。この際、ＣＰＵ１１０はバックライトユニット１４３を点灯しておく。これにより、図２に示すように、電子ファインダの一部であるＴＦＴ液晶パネル１４４に、子画面１２が重畳されたライブビュー画像ＬＶ１が再生される。なお、ピクチャ・イン・ピクチャ表示をオンにした後、撮影装置１は、カメラ撮像動作にリターンする。
【００６５】
以上のように、本実施の形態１によれば、オートフォーカスによる合焦位置ＡＦ１を含む領域Ｒ１を拡大して表示する子画面１２を合焦位置ＡＦ１またはこれを含む領域Ｒ１に重ならないように設定するため、表示画面中に子画面１２を表示した場合でもユーザにより望ましい構図で被写体を撮影させることが可能になる。
【００６６】
＜実施の形態２＞
次に、本発明の実施の形態２による撮影装置について、図面を用いて詳細に説明する。ただし、本実施の形態２による撮影装置の構成は、上記実施の形態１による撮影装置１と同様とすることができるため、ここでは詳細な説明を省略する。
【００６７】
まず、本実施の形態２による撮影装置１の電子ファインダにおけるＴＦＴ液晶パネル１４４に表示されるライブビュー画像について、図４および図５を用いて詳細に説明する。図４は、本実施の形態２において電子ファインダのＴＦＴ液晶パネル１４４に表示されるライブビュー画像ＬＶ２の一例を示す図である。図５は、図４に示すライブビュー画像ＬＶ２を生成する際に使用したスルー画２１の一例を示す図である。
【００６８】
図４に示すように、本実施の形態２による電子ファインダでは、スルー画２１における合焦位置ＡＦ２を略中央に含む領域（第１領域）Ｒ２が子画面（第２領域）２２において拡大表示される。ただし、本実施の形態では、スルー画２１を分割する複数の領域（第３領域：例えば４半象限Ａ２１〜Ａ２４）のうち、合焦位置ＡＦ２を含む領域（図４では４半象限Ａ２１）以外であって且つ被写体ＯＢ２が占める面積が最も少ない領域（図４では４半象限Ａ２３）に子画面２２を表示する。
【００６９】
例えば図５に示すスルー画２１の例では、４半象限Ａ２３における被写体ＯＢ２が占める割合が最も小さいため、図４に示すように、子画面２２は４半象限Ａ２３に表示される。なお、子画面２２は、４半象限Ａ２３において被写体ＯＢ２と重畳することを許可するように配置が制御されてもよいし、重畳することを禁止するように配置が制御されてもよい。
【００７０】
次に、本発明の実施の形態２による撮影装置１の動作を詳細に説明する。ただし、以下の説明では、上記実施の形態１と同様に、ファーストレリーズ１５１が例えばシャッタボタンの半押しを検出した際に撮影装置１がカメラ撮像動作中に実行するピクチャ・イン・ピクチャ動作に着目する。その他の動作は、通常一般のデジタルスチルカメラ等の撮影装置あるいは上記実施の形態１による撮影装置１と略同様の動作とすることが可能であるため、以下では、説明の簡略化を目的として、その詳細な図示及び説明は省略する。
【００７１】
ユーザによる撮影装置１のシャッタボタンの半押しをファーストレリーズ１５１が検出すると、撮影装置１は、カメラ撮像動作の流れにおいて図６に示すピクチャ・イン・ピクチャ動作を起動する。図６は、ファーストレリーズ１５１（図１参照）が例えばシャッタボタンの半押しを検出した際に撮影装置１がカメラ撮像動作中に実行する動作（ピクチャ・イン・ピクチャ動作）の概略を示すフローチャートである。
【００７２】
ピクチャ・イン・ピクチャ動作では、図６に示すように、撮影装置１は、図３においてステップＳ１０１〜Ｓ１０４を用いて説明した動作と同様の動作を実行することで、オートフォーカス動作によって焦点が合った位置（例えば図４における合焦位置ＡＦ２参照）を検出する。
【００７３】
次に撮影装置１は、スルー画データ中の被写体ＯＢ２の輪郭を抽出することで被写体ＯＢ２の形状等を認識する（ステップＳ２０１）。この認識は、例えばＣＰＵ１２０が被写体解析機能１２１を呼び出し、この機能を用いてスルー画データ中の特徴点を抽出し、この特徴点からスルー画データ中の被写体ＯＢ２の輪郭を抽出することで実現される。
【００７４】
次に撮影装置１は、ステップＳ２０１で認識した被写体ＯＢ２の輪郭から、スルー画２１を分割する複数の領域（例えば４半象限Ａ２１〜Ａ２４）における被写体ＯＢ２が占める割合を算出し（ステップＳ２０２）、この割合が最も低い領域（図４では４半象限Ａ２３）に子画面２２を表示する領域を例えばＣＰＵ１２０におけるＰｉｎＰ領域変更機能１２６を用いて設定する（ステップＳ２０３：合成領域設定ステップ）。これにより、オートフォーカスによる合焦位置ＡＦ２を含む領域Ｒ２を拡大して表示する子画面２２が、合焦位置ＡＦ２またはこれを含む領域Ｒ２に重ならないように設定される。
【００７５】
次に撮影装置１は、ステップＳ２０３で設定した領域に子画面２２が表示されるように、例えばＣＰＵ１２０におけるＰｉｎＰ領域変更機能１２６を用いて子画面データを拡大して（画像拡大ステップ）、拡大された子画面データとスルー画データとを例えばＣＰＵ１２０におけるＰｉｎＰ機能１２４を用いて合成し（画像合成ステップ）、これを電子ファインダのＴＦＴ液晶パネル１４４に表示（ピクチャ・イン・ピクチャ表示）する（ステップＳ１０６：画像出力ステップ）。これにより、図４に示すように、電子ファインダの一部であるＴＦＴ液晶パネル１４４に、子画面２２が重畳されたライブビュー画像ＬＶ２が再生される。
【００７６】
以上のように、本実施の形態２によれば、オートフォーカスによる合焦位置ＡＦ２を含む領域Ｒ２を拡大して表示する子画面２２を合焦位置ＡＦ２またはこれを含む領域Ｒ２に重ならないように設定するため、表示画面中に子画面２２を表示した場合でもユーザにより望ましい構図で被写体を撮影させることが可能になる。
【００７７】
＜実施の形態３＞
次に、本発明の実施の形態３による撮影装置について、図面を用いて詳細に説明する。ただし、本実施の形態３による撮影装置の構成は、上記実施の形態１による撮影装置１と同様とすることができるため、ここでは詳細な説明を省略する。
【００７８】
本実施の形態３による撮影装置１の電子ファインダにおけるＴＦＴ液晶パネル１４４に表示されるライブビュー画像について、図７および図８を用いて詳細に説明する。図７は、本実施の形態３において電子ファインダのＴＦＴ液晶パネル１４４に表示されるライブビュー画像ＬＶ３の一例を示す図である。図８は、図７に示すライブビュー画像ＬＶ３を生成する際に使用したスルー画３１の一例を示す図である。
【００７９】
図７に示すように、本実施の形態３による電子ファインダでは、スルー画３１における合焦位置ＡＦ３を略中央に含む領域（第１領域）Ｒ３が子画面（第２領域）３２において拡大表示される。ただし、本実施の形態では、スルー画３１を分割する複数の領域（第３領域：例えば４半象限Ａ３１〜Ａ３４）のうち、合焦位置ＡＦ３を含む領域（図７では４半象限Ａ３２）以外であって且つ領域内のコントラスト成分が最も小さい領域（図７では４半象限Ａ３１）に子画面３２を表示する。
【００８０】
例えば図８に示すスルー画３１の例では、４半象限Ａ３１における被写体ＯＢ３が占める割合が最も小さいため、図７に示すように、子画面３２は４半象限Ａ３１に表示される。なお、子画面３２は、４半象限Ａ３１において被写体ＯＢ３と重畳することを許可するように配置が制御されてもよいし、重畳することを禁止するように配置が制御されてもよい。
【００８１】
次に、本発明の実施の形態３による撮影装置１の動作を詳細に説明する。ただし、以下の説明では、上記実施の形態１と同様に、ファーストレリーズ１５１が例えばシャッタボタンの半押しを検出した際に撮影装置１がカメラ撮像動作中に実行するピクチャ・イン・ピクチャ動作に着目する。その他の動作は、通常一般のデジタルスチルカメラ等の撮影装置あるいは上記実施の形態１または２による撮影装置１と略同様の動作とすることが可能であるため、以下では、説明の簡略化を目的として、その詳細な図示及び説明は省略する。
【００８２】
ユーザによる撮影装置１のシャッタボタンの半押しをファーストレリーズ１５１が検出すると、撮影装置１は、カメラ撮像動作の流れにおいて図９に示すピクチャ・イン・ピクチャ動作を起動する。図９は、ファーストレリーズ１５１（図１参照）が例えばシャッタボタンの半押しを検出した際に撮影装置１がカメラ撮像動作中に実行する動作（ピクチャ・イン・ピクチャ動作）の概略を示すフローチャートである。
【００８３】
ピクチャ・イン・ピクチャ動作では、図９に示すように、撮影装置１は、図３においてステップＳ１０１〜１０４を用いて説明した動作と同様の動作を実行することで、オートフォーカス動作によって焦点が合った位置（例えば図７における合焦位置ＡＦ３参照）を検出する。
【００８４】
次に撮影装置１は、スルー画データを分割する複数の領域（例えば４半象限Ａ３１〜Ａ３４）それぞれにおけるコントラスト情報を収集する（ステップＳ３０１）。具体的には、ＣＰＵ１２０は、入力されたスルー画３１を複数の領域（例えば４半象限Ａ３１〜Ａ３４）に分割し、それぞれについての明暗や色彩などの階調の起伏の度合いまたはその絶対値をコントラスト情報として算出し、これを収集する。
【００８５】
次に撮影装置１は、ステップＳ３０１で収集したコントラスト情報から、コントラスト成分が最も小さい領域を特定し（ステップＳ３０２）、このコントラスト成分が最も小さい領域（図７では４半象限Ａ３１）に子画面３２を表示する領域を例えばＣＰＵ１２０におけるＰｉｎＰ領域変更機能１２６を用いて設定する（ステップＳ３０３：合成領域設定ステップ）。これにより、オートフォーカスによる合焦位置ＡＦ３を含む領域Ｒ３を拡大して表示する子画面３２が、合焦位置ＡＦ３またはこれを含む領域Ｒ３に重ならないように設定される。
【００８６】
次に撮影装置１は、ステップＳ３０３で設定した領域に子画面３２が表示されるように、例えばＣＰＵ１２０におけるＰｉｎＰ領域変更機能１２６を用いて子画面データを拡大して（画像拡大ステップ）、拡大された子画面データとスルー画データとを例えばＣＰＵ１２０におけるＰｉｎＰ機能１２４を用いて合成し（画像合成ステップ）、これを電子ファインダのＴＦＴ液晶パネル１４４に表示（ピクチャ・イン・ピクチャ表示）する（ステップＳ１０６：画像出力ステップ）。これにより、図７に示すように、電子ファインダの一部であるＴＦＴ液晶パネル１４４に、子画面３２が重畳されたライブビュー画像ＬＶ３が再生される。
【００８７】
以上のように、本実施の形態３によれば、オートフォーカスによる合焦位置ＡＦ３を含む領域Ｒ３を拡大して表示する子画面３２を合焦位置ＡＦ３またはこれを含む領域Ｒ３に重ならないように設定するため、表示画面中に子画面３２を表示した場合でもユーザにより望ましい構図で被写体を撮影させることが可能になる。
【００８８】
＜実施の形態４＞
次に、本発明の実施の形態４による撮影装置について、図面を用いて詳細に説明する。ただし、本実施の形態４による撮影装置の構成は、上記実施の形態１による撮影装置１と同様とすることができるため、ここでは詳細な説明を省略する。
【００８９】
本実施の形態４による撮影装置１の電子ファインダにおけるＴＦＴ液晶パネル１４４に表示されるライブビュー画像について、図１０を用いて詳細に説明する。図１０は、本実施の形態４において電子ファインダのＴＦＴ液晶パネル１４４に表示されるライブビュー画像ＬＶ４の一例を示す図である。
【００９０】
図１０に示すように、本実施の形態４による電子ファインダでは、スルー画４１における合焦位置ＡＦ４を略中央に含む領域（第１領域）Ｒ４が子画面（第２領域）４２において拡大表示される。ただし、本実施の形態では、スルー画４１を分割する領域（第３領域：例えば４半象限Ａ４１〜Ａ４４）に関係なく、スルー画４１における被写体ＯＢ４以外の領域に子画面４２が表示される。
【００９１】
次に、本発明の実施の形態４による撮影装置１の動作を詳細に説明する。ただし、以下の説明では、上記実施の形態１と同様に、ファーストレリーズ１５１が例えばシャッタボタンの半押しを検出した際に撮影装置１がカメラ撮像動作中に実行するピクチャ・イン・ピクチャ動作に着目する。その他の動作は、通常一般のデジタルスチルカメラ等の撮影装置あるいは上記実施の形態１による撮影装置１と略同様の動作とすることが可能であるため、以下では、説明の簡略化を目的として、その詳細な図示及び説明は省略する。
【００９２】
ユーザによる撮影装置１のシャッタボタンの半押しをファーストレリーズ１５１が検出すると、撮影装置１は、カメラ撮像動作の流れにおいて図１１に示すピクチャ・イン・ピクチャ動作を起動する。図１１は、本発明の実施の形態４においてファーストレリーズが例えばシャッタボタンの半押しを検出した際に撮影装置がカメラ撮像動作中に実行する動作（ピクチャ・イン・ピクチャ動作）の概略を示すフローチャートである。
【００９３】
ピクチャ・イン・ピクチャ動作では、図１１に示すように、撮影装置１は、図３においてステップＳ１０１〜１０４を用いて説明した動作と同様の動作を実行することで、オートフォーカス動作によって焦点が合った位置（例えば図１０における合焦位置ＡＦ４参照）を検出する。
【００９４】
次に撮影装置１は、上記実施の形態２において図６のステップＳ２０１を用いて説明した動作と同様の動作を実行することで、スルー画データ中の被写体ＯＢ４の形状等を認識する（ステップＳ２０１）。
【００９５】
続いて撮影装置１は、ステップＳ２０１で認識した被写体ＯＢ４の形状等からスルー画データ中（画角中）での被写体ＯＢ４の存在範囲を算出し（ステップＳ４０１）、算出した被写体ＯＢ４の存在範囲以外から子画面４２のサイズを決定する（ステップＳ４０２）。なお、子画面４２は縦横比が固定された略長方形（正方形を含む）の領域であるとする。
【００９６】
次に撮影装置１は、ステップＳ４０１で算出した被写体ＯＢ４のスルー画データ中での存在範囲とステップＳ４０２で算出した子画面４２のサイズとから、子画面４２が被写体ＯＢ４に重畳しないように、子画面４２を表示する領域を例えばＣＰＵ１２０におけるＰｉｎＰ領域変更機能１２６を用いて設定する（ステップＳ４０３：合成領域設定ステップ）。これにより、オートフォーカスによる合焦位置ＡＦ４を含む領域Ｒ４を拡大して表示する子画面４２が、合焦位置ＡＦ４またはこれを含む領域Ｒ４に重ならないように設定される。
【００９７】
次に撮影装置１は、ステップＳ４０３で設定した領域に子画面４２が表示されるように、例えばＣＰＵ１２０におけるＰｉｎＰ領域変更機能１２６を用いて子画面データを拡大して（画像拡大ステップ）、拡大された子画面データとスルー画データとを例えばＣＰＵ１２０におけるＰｉｎＰ機能１２４を用いて合成し（画像合成ステップ）、これを電子ファインダのＴＦＴ液晶パネル１４４に表示（ピクチャ・イン・ピクチャ表示）する（ステップＳ１０６：画像出力ステップ）。これにより、図１０に示すように、電子ファインダの一部であるＴＦＴ液晶パネル１４４に、子画面４２が重畳されたライブビュー画像ＬＶ４が再生される。
【００９８】
以上のように、本実施の形態４によれば、オートフォーカスによる合焦位置ＡＦ４を含む領域Ｒ４を拡大して表示する子画面４２を合焦位置ＡＦ４またはこれを含む領域Ｒ４に重ならないように設定するため、表示画面中に子画面４２を表示した場合でもユーザにより望ましい構図で被写体を撮影させることが可能になる。
【００９９】
＜実施の形態５＞
次に、本発明の実施の形態５による撮影装置について、図面を用いて詳細に説明する。ただし、本実施の形態５による撮影装置の構成は、上記実施の形態１による撮影装置１と同様とすることができるため、ここでは詳細な説明を省略する。
【０１００】
本実施の形態５では、撮影装置１のビデオ出力端子１４５に接続された外部画像表示装置２０１にライブビュー画像を表示し、このライブビュー画像に子画面を重畳する場合を例に挙げて説明する。図１２は、本実施の形態５においてビデオ出力端子１４５に接続された外部画像表示装置２０１の表示画面に表示されるライブビュー画像ＬＶ５の一例を示す図である。
【０１０１】
図１に示す撮影装置１は、ＦＩＦＯメモリ１３２にバッファされたスルー画データをビデオ出力端子１４５に接続された外部画像表示装置２０１へビデオ出力回路１４２を介して出力することが可能である。外付けされる外部画像表示装置２０１には、撮影装置１の電子ファインダの解像度よりも大きい解像度の表示装置を用いることができる。解像度が大きな画面では、画面中に占める子画面の領域が小さくても子画面中の画像をきめ細かく表示できる。そこで本実施の形態では、電子ファインダの解像度、すなわちＴＦＴ液晶パネル１４４の有効画素数よりも大きな有効画素数の外部画像表示装置２０１がビデオ出力端子１４５に接続された場合、図１２に示すように、子画面５２のスルー画５１中に占める領域の割合を小さくする。ただし、これに限定されず、解像度が低い表示装置が外部画像表示装置２０１として接続された場合などでは、子画面（第２領域）５２のスルー画５１中に占める領域の割合を大きくするように構成してもよい。なお、図１２中、参照符号Ｒ５は、オートフォーカス（ＡＦ）動作によって焦点が合った位置（合焦位置ＡＦ５）を略中央に含む領域（第１領域）である。
【０１０２】
次に、本発明の実施の形態５による撮影装置１の動作を詳細に説明する。ただし、以下の説明では、上記実施の形態１と同様に、ファーストレリーズ１５１が例えばシャッタボタンの半押しを検出した際に撮影装置１がカメラ撮像動作中に実行するピクチャ・イン・ピクチャ動作に着目する。その他の動作は、通常一般のデジタルスチルカメラ等の撮影装置あるいは上記実施の形態１〜４の何れかによる撮影装置１と略同様の動作とすることが可能であるため、以下では、説明の簡略化を目的として、その詳細な図示及び説明は省略する。
【０１０３】
ユーザによる撮影装置１のシャッタボタンの半押しをファーストレリーズ１５１が検出すると、撮影装置１は、カメラ撮像動作の流れにおいて図１３に示すピクチャ・イン・ピクチャ動作を起動する。図１３は、ファーストレリーズ１５１（図１参照）が例えばシャッタボタンの半押しを検出した際に撮影装置１がカメラ撮像動作中に実行する動作（ピクチャ・イン・ピクチャ動作）の概略を示すフローチャートである。
【０１０４】
ピクチャ・イン・ピクチャ動作では、図１３に示すように、撮影装置１は、図３においてステップＳ１０１〜Ｓ１０４を用いて説明した動作と同様の動作を実行することで、オートフォーカス動作によって焦点が合った位置（例えば図１２における合焦位置ＡＦ５参照）を検出する。
【０１０５】
次に撮影装置１は、上記実施の形態２において図６のステップＳ２０１を用いて説明した動作と同様の動作を実行することで、スルー画データ中の被写体ＯＢ５の形状等を認識する（ステップＳ２０１）。
【０１０６】
次に撮影装置１は、例えば外部接続機器認識機能１１２を用いて、ビデオ出力端子１４５への外部画像表示装置２０１の接続が検出できるか否かを判定する（ステップＳ５０１）。ステップＳ５０１の判定の結果、外部画像表示装置２０１の接続が検出されない場合（ステップＳ５０１のＮｏ）、撮影装置１は、カメラ撮像動作にリターンする。
【０１０７】
一方、外部画像表示装置２０１の接続が検出された場合（ステップＳ５０１のＹｅｓ）、撮影装置１は、次に、例えば外部接続機器認識機能１１２を用いて、接続されている外部画像表示装置２０１の解像度が例えば電子ファインダの解像度よりも高い解像度であるか否かを判定する（ステップＳ５０２）。ステップＳ５０２の判定の結果、外部画像表示装置２０１が高解像度でない場合（ステップＳ５０２のＮｏ）、撮影装置１は、子画面のサイズを例えば図２に示すサイズ（これを通常サイズとする）に設定する（ステップＳ５０３：例えば図２参照の子画面１２参照）。
【０１０８】
一方、ステップＳ５０２の判定の結果、高解像度の外部画像表示装置２０１である場合（ステップＳ５０２のＹｅｓ）、撮影装置１は、子画面のサイズをステップＳ５０３で設定した通常サイズよりも小さいサイズに設定する（ステップＳ５０４：例えば図１２に示す子画面５２参照）。この際、オートフォーカスによる合焦位置ＡＦ５を含む領域Ｒ５を拡大して表示する子画面５２が、合焦位置ＡＦ５またはこれを含む領域Ｒ５に重ならないように設定される。
【０１０９】
次に撮影装置１は、ステップＳ５０３またはステップＳ５０４で設定したサイズから子画面１２／５２を表示する領域を例えばＣＰＵ１２０におけるＰｉｎＰ領域変更機能１２６を用いて設定する（ステップＳ５０５：合成領域設定ステップ）。
【０１１０】
その後、撮影装置１は、ステップＳ５０５で設定した領域に子画面１２／５２が表示されるように、例えばＣＰＵ１２０におけるＰｉｎＰ領域変更機能１２６を用いて子画面データを拡大して（画像拡大ステップ）、拡大された子画面データとスルー画データとを例えばＣＰＵ１２０におけるＰｉｎＰ機能１２４を用いて合成し（画像合成ステップ）、これを電子ファインダのＴＦＴ液晶パネル１４４に表示（ピクチャ・イン・ピクチャ表示）する（ステップＳ１０６：画像出力ステップ）。これにより、図１２に示すように、外部画像表示装置２０１に、子画面５２が重畳されたライブビュー画像ＬＶ５が再生される。
【０１１１】
以上のように、本実施の形態５によれば、オートフォーカスによる合焦位置ＡＦ５を含む領域Ｒ５を拡大して表示する子画面５２を合焦位置ＡＦ５またはこれを含む領域Ｒ５に重ならないように設定するため、表示画面中に子画面５２を表示した場合でもユーザにより望ましい構図で被写体を撮影させることが可能になる。
【０１１２】
また、上記実施の形態は本発明を実施するための例にすぎず、本発明はこれらに限定されるものではなく、仕様等に応じて種々変形することは本発明の範囲内であり、更に本発明の範囲内において、他の様々な実施の形態が可能であることは上記記載から自明である。
【図面の簡単な説明】
【０１１３】
【図１】図１は、本発明の実施の形態１による撮影装置の概略内部構成例を示すブロック図である。
【図２】図２は、本発明の実施の形態１による撮影装置の電子ファインダにおけるＴＦＴ液晶パネルに表示される子画面が重畳されたライブビュー画像を示す図である。
【図３】図３は、本発明の実施の形態１においてファーストレリーズが例えばシャッタボタンの半押しを検出した際に撮影装置がカメラ撮像動作中に実行する動作（ピクチャ・イン・ピクチャ動作）の概略を示すフローチャートである。
【図４】図４は、本発明の実施の形態２において電子ファインダのＴＦＴ液晶パネルに表示されるライブビュー画像の一例を示す図である。
【図５】図５は、図４に示すライブビュー画像を生成する際に使用したスルー画の一例を示す図である。
【図６】図６は、本発明の実施の形態２においてファーストレリーズが例えばシャッタボタンの半押しを検出した際に撮影装置がカメラ撮像動作中に実行する動作（ピクチャ・イン・ピクチャ動作）の概略を示すフローチャートである。
【図７】図７は、本発明の実施の形態３において電子ファインダのＴＦＴ液晶パネルに表示されるライブビュー画像の一例を示す図である。
【図８】図８は、図７に示すライブビュー画像を生成する際に使用したスルー画の一例を示す図である。
【図９】図９は、本発明の実施の形態３においてファーストレリーズが例えばシャッタボタンの半押しを検出した際に撮影装置がカメラ撮像動作中に実行する動作（ピクチャ・イン・ピクチャ動作）の概略を示すフローチャートである。
【図１０】図１０は、本発明の実施の形態４において電子ファインダのＴＦＴ液晶パネルに表示されるライブビュー画像ＬＶ４の一例を示す図である。
【図１１】図１１は、本発明の実施の形態４においてファーストレリーズが例えばシャッタボタンの半押しを検出した際に撮影装置がカメラ撮像動作中に実行する動作（ピクチャ・イン・ピクチャ動作）の概略を示すフローチャートである。
【図１２】図１２は、本発明の実施の形態５においてビデオ出力端子に接続された外部画像表示装置の表示画面に表示されるライブビュー画像の一例を示す図である。
【図１３】図１３は、本発明の実施の形態５においてファーストレリーズが例えばシャッタボタンの半押しを検出した際に撮影装置がカメラ撮像動作中に実行する動作（ピクチャ・イン・ピクチャ動作）の概略を示すフローチャートである。
【符号の説明】
【０１１４】
１  撮影装置
１１、２１、３１、４１、５１  スルー画
１２、２２、３２、４２、５２  子画面
１０１  レンズ
１０２  撮像素子
１０３  アクチュエータ駆動回路
１０４  アクチュエータ
１０５  撮像回路
１０６  フラッシュ
１０７  ＥＥＰＲＯＭ
１０８  手ブレ補正用ジャイロセンサ
１１０、１２０  ＣＰＵ
１１０Ａ  システムコントロール部
１１１  拡大領域変更機能
１１２  外部接続機器認識機能
１１３  時計機能
１１４  ＡＦ合焦位置検出機能
１２１  被写体解析機能
１２２  画像圧縮伸長機能
１２３  指定領域拡大機能
１２４  ＰｉｎＰ機能
１２５  記録媒体アクセス機能
１２６  ＰｉｎＰ領域変更機能
１３０  内部バス
１３１  Ａ／Ｄ変換回路
１３２  ＦＩＦＯメモリ
１３３  フレームメモリ
１３４  記録バッファ
１３５  記録媒体インタフェース
１３６  記録媒体
１４１  ＴＦＴ液晶駆動回路
１４２  ビデオ出力回路
１４３  バックライトユニット
１４４  ＴＦＴ液晶パネル
１４５  ビデオ出力端子
１５０  キーマトリクス
１５１  ファーストレリーズ
１５２  セカンドレリーズ
１５３  ズームボタン
１６１  ＬＣＤ表示回路
１６２  ＬＣＤパネル
１７１  電池
１７２  バックアップ電源
１７３  電源回路
１７４  電池状態検出回路
２０１  外部画像表示装置
Ａ１１〜Ａ１４、Ａ２１〜Ａ２４、Ａ３１〜Ａ３４、Ａ４１〜Ａ４４  ４半象限
ＡＦ１、ＡＦ２、ＡＦ３、ＡＦ４、ＡＦ５  合焦位置
ＬＶ１、ＬＶ２、ＬＶ３、ＬＶ４、ＬＶ５  ライブビュー画像
ＯＢ１、ＯＢ２、ＯＢ３、ＯＢ４、ＯＢ５  被写体
Ｒ１、Ｒ２、Ｒ３、Ｒ４、Ｒ５  領域
【図１】
2010226496.tif 000003
【図２】
2010226496.tif 000004
【図３】
2010226496.tif 000005
【図４】
2010226496.tif 000006
【図５】
2010226496.tif 000007
【図６】
2010226496.tif 000008
【図７】
2010226496.tif 000009
【図８】
2010226496.tif 000010
【図９】
2010226496.tif 000011
【図１０】
2010226496.tif 000012
【図１１】
2010226496.tif 000013
【図１２】
2010226496.tif 000014
【図１３】
2010226496.tif 000015